(57)【特許請求の範囲】
【請求項１】
建造物の庫体の出入口用開口部の上部側に水平に配設される案内レールと、上記出入口用開口部を開閉する扉体と、この扉体の上部に装着されて、上記案内レールに転動可能に係合する吊り車輪と、上記扉体の上記庫体側の上端部及び左右側端部に沿設され、庫体壁面に接触する筒状本体を有する上部パッキン及び側部パッキンと、上記扉体の上記庫体側の下端部に垂下状に装着され、床面に接触する帯状のずれパッキンと、を具備するスライド扉装置において、
上記扉体の庫体側面における上記側部パッキンの下端に連なって設けられ、下端が床面に接触する補助パッキンと、
上記扉体の開閉側端部に設けられ、上記庫体の側面及び補助パッキンの開閉端部側面に接触するサイドパッキンと、を具備してなり、
上記補助パッキンは、上記側部パッキンの筒状本体に連なる筒状本体と、この筒状本体から接線方向に延在する取付片とを有し、
上記取付片は、上記ずれパッキンの長手方向の端部に重合され、ずれパッキンの表面に被装されて固定部材によって上記扉体に固定される押え部材にて固定される、
ことを特徴とするスライド扉装置。
【請求項２】
請求項１記載のスライド扉装置において、
側部パッキン及び補助パッキンは、筒状本体の一側に突出する断面Ｌ字状の係止片を有し、上記係止片は、上記扉体の辺部を構成する枠材の庫体側片に設けられた嵌合溝内に嵌合される、ことを特徴とするスライド扉装置。
【請求項３】
請求項１又は２記載のスライド扉装置において、
上記側部パッキン及び補助パッキンは、筒状本体の接線方向に延在し、庫体の側面に接触可能な気密補助片を更に具備し、上記補助パッキンにおける筒状本体及び気密補助片は、上記扉体の開閉側端部に固定されるサイドパッキンに設けられた気密保護片の内方側に接触される、ことを特徴とするスライド扉装置。
【発明の詳細な説明】
【技術分野】
【０００１】
この発明は、スライド扉装置に関するもので、更に詳細には、建造物の庫体の出入口用開口部を開閉する扉体の上端部及び左右側端部と下端部にパッキンを具備するスライド扉装置に関するものである。
【背景技術】
【０００２】
従来、この種のスライド扉は、冷凍庫や冷蔵庫等の庫体の出入口用開口部を閉鎖する際、スライド扉の下端から庫体内の冷気が流出するのを防ぐために、スライド扉の扉体の下端部に、床面に接触するずれパッキンを装着している。また、この種のスライド扉は、庫体と扉体との間の隙間から冷気が流出を防止するために、扉体の上端部及び左右側端部にパッキンが沿設されている（例えば、特許文献１参照）。
【先行技術文献】
【特許文献】
【０００３】
【特許文献１】特開２００５−３４４９４８号公報（特許請求の範囲、図１，図２）
【発明の概要】
【発明が解決しようとする課題】
【０００４】
ところで、この種のスライド扉においては、パッキンが床面に接触した状態で扉体が直線状に開閉移動するため、パッキンの変形や損傷防止のために保護を十分にする必要がある。また、庫体を建造した床面には勾配を有する場合があり、庫体に扉体を取り付けた後にパッキンの位置調整を行う必要がある。更にまた、扉体の下端部における気密性を十分にするには、扉体の左右側端部に装着される側部パッキンと扉体の下端部に装着されるずれパッキンとの間に気密性を持たせる必要がある。
【０００５】
この発明は、上記事情に鑑みてなされたもので、スライド扉の開閉移動に伴うパッキンの変形や損傷を防止し、かつ、スライド扉の下端部におけるパッキンの位置調整を容易にすると共に、気密性の向上を図れるようにしたスライド扉装置を提供することを課題とする。
【課題を解決するための手段】
【０００６】
上記課題を達成するために、この発明のスライド扉装置は、建造物の庫体の出入口用開口部の上部側に水平に配設される案内レールと、上記出入口用開口部を開閉する扉体と、この扉体の上部に装着されて、上記案内レールに転動可能に係合する吊り車輪と、上記扉体の上記庫体側の上端部及び左右側端部に沿設され、庫体壁面に接触する筒状本体を有する上部パッキン及び側部パッキンと、上記扉体の上記庫体側の下端部に垂下状に装着され、床面に接触する帯状のずれパッキンと、を具備するスライド扉装置において、  上記扉体の庫体側面における上記側部パッキンの下端に連なって設けられ、下端が床面に接触する補助パッキンと、  上記扉体の開閉側端部に設けられ、上記庫体の側面及び補助パッキンの開閉端部側面に接触するサイドパッキンと、を具備してなり、  上記補助パッキンは、上記側部パッキンの筒状本体に連なる筒状本体と、この筒状本体から接線方向に延在する取付片とを有し、  上記取付片は、上記ずれパッキンの長手方向の端部に重合され、ずれパッキンの表面に被装されて固定部材によって上記扉体に固定される押え部材にて固定される、ことを特徴とする。
【０００７】
このように構成することにより、庫体に扉体を取り付けた後に、扉体の下部の気密保持用の補助パッキンとサイドパッキンを取り付けることができる。また、補助パッキンに設けた取付片をずれパッキンと扉体との間に介在させて、ずれパッキンと同時にパッキン押え部材によって固定することができる。
【０００８】
この発明において、上記側部パッキン及び補助パッキンは、筒状本体の一側に突出する断面Ｌ字状の係止片を有し、上記係止片を、上記扉体の辺部を構成する枠材の庫体側片に設けられた嵌合溝内に嵌合する方が好ましい。
【０００９】
このように構成することにより、側部パッキン及び補助パッキンに設けた係止片を、扉体を構成する枠材に設けられた嵌合溝内に嵌合することで、側部パッキン及び補助パッキンを連ねて扉体に装着することができる。
【００１０】
また、この発明において、上記側部パッキン及び補助パッキンは、筒状本体の接線方向に延在し、庫体の側面に接触可能な気密補助片を更に具備し、少なくとも上記補助パッキンにおける筒状本体及び気密補助片は、上記扉体の開閉側端部に固定されるサイドパッキンに設けられた気密保護片の内方側に接触される構造とする方が好ましい。
【００１１】
このように構成することにより、補助パッキンの気密補助片とサイドパッキンの気密保護片とが協働して気密保持が図れると共に、扉体の開閉移動時における補助パッキンの変形をサイドパッキンによって抑制することができる。
【発明の効果】
【００１２】
この発明によれば、上記のように構成されているので、以下のような優れた効果が得られる。
【００１３】
（１）庫体に扉体を取り付けた後に、扉体の下部と床面との間に補助パッキンとサイドパッキンを取り付けることができるので、扉体と床面との隙間に対応した気密の維持が図れる。また、補助パッキンに設けた取付片をずれパッキンに重合させて、ずれパッキンと同時に押え部材によって固定することができるので、補助パッキンの固定を強固にすることができると共に、扉体の下端部の気密を確実にすることができる。
【００１４】
（２）側部パッキン及び補助パッキンに設けた係止片を、扉体を構成する枠材に設けられた嵌合溝内に嵌合することで、側部パッキン及び補助パッキンを連ねて扉体に装着することができるので、側部パッキンと補助パッキンとに一体的に取り付けることができると共に、パッキンの取付を容易かつ強固にすることができる。
【００１５】
（３）補助パッキンの気密補助片とサイドパッキンの気密保護片とが協働して気密保持が図れると共に、扉体の開閉移動時における補助パッキンの変形をサイドパッキンによって抑制することができる。したがって、更に扉体の下部の気密性の向上及びパッキンの寿命の増大を図ることができる。
【図面の簡単な説明】
【００１６】
【図１】この発明に係るスライド扉装置を示す概略正面図である。
【図２】上記スライド扉装置を示す断面図（ａ）及び（ａ）のＩ部拡大断面図（ｂ）である。
【図３】この発明における案内レールと吊り車輪を示す拡大断面図である。
【図４】この発明におけるずれパッキンの取付状態を示す断面図である。
【図５】図４の側面図である。
【図６】の発明におけるずれパッキンの取付状態を示す断面斜視図である。
【図７】この発明におけるずれパッキンのパッキン押え部材とキャップの連結状態の表面斜視図（ａ）及び裏面斜視図（ｂ）である。
【図８】この発明における補助パッキンの取付状態を示す断面図である。
【図９】この発明における補助パッキンの取付状態を示す断面斜視図である。
【図１０】この発明における補助パッキンを示す分解斜視図である。
【図１１】この発明における第２実施形態のパッキンの取付状態を示す断面図である。
【図１２】この発明における第２実施形態のパッキンの取付状態を示す断面斜視図である。
【発明を実施するための形態】
【００１７】
以下に、この発明を実施するための形態について、添付図面に基づいて詳細に説明する。ここでは、この発明に係るスライド扉装置を冷凍庫に用いた場合について説明する。
【００１８】
この発明に係るスライド扉装置は、プレハブ式冷凍庫の庫体１に開設された出入口用開口部２（以下に開口部２という）の上部側に水平状に配設される案内レール３と、開口部２を開閉する扉体５と、この扉体５の上端部に装着されるＬ形状のブラケット６の垂直片６ａに装着されると共に、案内レール３を転走する凹状走行面７ａの対峙する両側に一対のフランジ部７ｂを有する吊り車輪７と、ブラケット６の水平片６ｂに装着されると共に、開口部２の開口縁に装着される開口枠２ａの外面に転動可能な水平ガイドローラ８と、扉体５の庫体側の上端部及び左右側端部に沿設され、庫体壁面に接触する筒状本体７１を有する上部パッキン７０Ａ及び側部パッキン７０Ｂと、扉体５の下端部に垂下状に装着され、床面Ｆに接触するずれパッキン９とを具備している。
【００１９】
また、この発明に係るスライド扉装置は、側部パッキン７０Ｂの下端部に補助パッキン７０Ｃを具備すると共に、補助パッキン７０Ｃを保護すべく扉体５の開閉側端部にサイドパッキン７０Ｄを具備している。
【００２０】
なお、扉体５の下端部と庫体１の開口部２近傍の床面Ｆとの対向する位置には、扉体５を閉鎖する際に互いに係合して扉体５を庫体１の開口部２に押圧する密閉移動手段１０が形成されている。また、開口枠２ａの開口縁に沿ってパッキン受座２ｂが周設されている（図２参照）。
【００２１】
上記案内レール３は、図２及び図３に示すように、吊り車輪７が転走する車輪走行部３０と、庫体１の開口部２の上部外面に固定される固定部３１と、固定部３１の下部に延在し、開口部２の上部に設けられたパッキン受座２ｂの外面に当接される当接部３２とが一体のアルミニウム製押出形材にて形成されている。案内レール３は、庫体１の開口部２を扉体５が閉鎖する閉鎖領域Ａと、扉体５が開口部２を開放する開放領域Ｂに渡って配設されている。
【００２２】
上記車輪走行部３０は、吊り車輪７の凹状走行面７ａが転動可能な断面逆Ｕ字状に隆起するレール面部３３と、このレール面部３３の両側下端から外方に向かって下り勾配状に傾斜する一対の傾斜片３４と、これら両傾斜片３４の下端から垂下する一対の垂下片３５と、両垂下片３５の下端同士を連結する下部連結片３６とからなる中空状に形成されている。なお、傾斜片３４の傾斜角（勾配）は、吊り車輪７のフランジ部７ｂに設けられた内向きテーパ面７ｃと略相似形状に形成されている。
【００２３】
固定部３１と当接部３２は、クランク状段部３７を介して連結されており、クランク状段部３７に、車輪走行部３０の下部連結片３６から延在する水平片３６ａが連結されている。固定部３１は、上部に庫体１の壁部１ａを貫通する取付ボルト４０の取付孔（図示せず）を有し、この取付孔部の下部と上記水平片３６ａとが傾斜片３８ａで連結され、傾斜片３８ａの中間部とクランク状段部３７に補強片３８ｂが連結されている。また、当接部３２のクランク状段部３７の近傍の表面には狭隘開口状の水平凹溝３９ａが設けられ、この水平凹溝３９ａの開口下部に延在する垂直案内片３９ｂの下端にパッキン受座２ｂの表面に当接する折曲片３９ｃが設けられている。なお、垂直案内片３９ｃの表面に水平ガイドローラ８が転動可能に接触するようになっている。
【００２４】
上記のように形成される案内レール３は、固定部３１を庫体１の取付面に当接した状態で、取付ボルト４０を固定部３１に設けられた取付孔（図示せず）を貫通して庫体１に螺合することにより、案内レール３を強固に固定することができる。
【００２５】
なお、扉体５の閉鎖位置及び開放位置の床面Ｆには、扉体５の移動を規制する戸先側及び戸尻側ストッパ部材５２が取り付けられている（図１参照）。
【００２６】
一方、上記吊り車輪７は、扉体５の上端におけるスライド方向の両端側の２箇所に取り付けられており、案内レール３のレール面部３３の逆Ｕ字状に対応する凹状走行面７ａと、凹状走行面７ａの両側に設けられ、案内レール３の傾斜片３４の傾斜角（勾配）と相似形の傾斜角度の内向きテーパ面７ｃを有する一対のフランジ部７ｂとを具備している。
【００２７】
また、吊り車輪７は、扉体５の取付状態｛具体的には、扉体５が位置する床面Ｆの凹凸や傾斜状態｝に応じて位置調節が可能となっている。すなわち、扉体５の上端に固定されるＬ形状のブラケット６の垂直片６ａに設けられた垂直状の長孔（図示せず）内を摺動可能（上下移動可能）に取り付けられた支持軸７ｄによって垂直方向に回転自在に装着されている（図２参照）。なお、ブラケット６の垂直片６ａの上端には、扉体５が自重によって下がるのを防止するためのストッパ機構６０が設けられている。このストッパ機構６０のボルト６１を締め付け又は緩めることにより、扉体５を吊った状態で扉体５の上下調整が可能となっており、左右両端部のストッパ機構６０を調整することにより、扉体５の左右の傾きを抑制することができる。
【００２８】
また、水平ガイドローラ８は、扉体５の上端に固定されたブラケット６の水平片６ｂに回転可能に支持された鉛直支持軸７ｅを介して水平方向に回転自在に装着されている。水平ガイドローラ８は、２箇所の吊り車輪７に対応して、吊り車輪７の下部側に配設されている。
【００２９】
上記扉体５は、一対の表面板５ａと、これら表面板５ａの辺部間に介在される枠材５ｂと、両表面板５ａ及び枠材５ｂにて形成される空間内に発泡ポリウレタン等の発泡性の断熱性心材５ｃを充填したサンドイッチ構造となっている。この扉体５の庫体１側の上辺（上端部）及び左右辺（左右側部）には、開口部２の開口枠２ａに周設されたパッキン受座２ｂに接触すなわち圧接する円筒状の上部パッキン７０Ａ及び側部パッキン７０Ｂが沿設されている（図２参照）。また、側部パッキン７０Ｂの下端部は扉体５の下端より上方に位置しており、この側部パッキン７０Ｂの下端に連なって床面Ｆに接触する補助パッキン７０Ｃが設けられている（図５，図７参照）。
【００３０】
なお、案内レール３における扉体５の閉鎖時及び開放時に吊り車輪７が位置する部位には、吊り車輪７を庫体側に偏倚させる上部引き寄せ部材（図示せず）と水平ガイドローラ８を庫体側に偏倚させる下部引き寄せ部材（図示せず）が設けられている。また、扉体５の下端の側部における開閉移動の先端部側及び後端部側には扉寄せ部材１１，１２が装着されており、庫体１の開口部２近傍の床面Ｆに配設されて、扉体５の閉鎖位置における扉引寄せ部材１１，１２にそれぞれ係合するガイドローラ１４Ａ，１４Ｂとによって密閉移動手段１０が形成されている（図１及び図２参照）。また、扉体５の外側表面板５ａの下端部には、扉引寄せ部材１１，１２間に連接するようにプロテクタ１３が装着されており、このプロテクタ１３にガイドローラ１４Ａ，１４Ｂが接触することで、表面板５ａを保護することができるようになっている。
【００３１】
なお、庫体１の開口部２の上部には、リニアモータのリニアレールを配設するケース体（図示せず）が取り付けられる場合もあり、このケース体は化粧カバー２０によって外部から目隠しされている。
【００３２】
化粧カバー２０は、庫体１の外面に固定ねじ２２によって固定されるカバー受部材２１に係脱可能に係合されている。この場合、カバー受部材２１は、例えばアルミニウム製の押出形材を適宜長さに切断したピース状に形成されており、複数個が適宜間隔をおいて配設されている。このカバー受部材２１は、庫体１の壁部１ａに固定される垂直固定片２３の上端部から外方に向かって下り勾配に傾斜する上部傾斜片２４の先端と、垂直固定片２３の上部側から外方に向かって上り勾配に傾斜する下部傾斜片２５の先端とを連結した中空三角形状の突出部２６を有し、この突出部２６における上部傾斜片２４の先端部に設けられた係止溝２７に、化粧カバー２０が係脱可能に係合されている。なお、係止溝２７の上部側開口端には係止溝２７内に向かって水平係止片２７ａが突設されている。
【００３３】
なお、カバー受部材２１は、必ずしも複数のピース状である必要はなく、長手通し状の１本のカバー受部材であってもよい。
【００３４】
上記化粧カバー２０は、例えばアルミニウム製の押出形材によって形成されている。この化粧カバー２０には、一端にカバー受部材２１の係止溝２７内に係脱可能に係止する係止爪部２８ａを有し、カバー受部材２１の上部傾斜片２４に連なる傾斜状の上部カバー部２８と、この上部カバー部２８の下端（他端）から垂下状に折曲されて案内レール３及び吊り車輪７を覆う前面カバー部２９とが設けられている。
【００３５】
上記のように構成される化粧カバー２０は、通常時には、係止爪部２８ａが係止溝２７に係合されると共に、前面カバー部２９がレール３及び吊り車輪７を覆っている（図２参照）。また、保守・点検時には、化粧カバー２０を上方に持ち上げて係止爪部２８ａを係止溝２７の水平係止片２７ａとの間で滑らせて、化粧カバー２０を開放状態に保持して、案内レール３と吊り車輪７の走行部やリニアモータの保守・点検作業を行うことができる。
【００３６】
上記のように化粧カバー２０とカバー受部材２１は共にアルミニウム製の押出形材であるため、係止溝２７と係止爪部２８ａとはメタルタッチになるので、扉体５の開閉の衝撃により係止溝２７と係止爪部２８ａがあたり、いわゆるビビリ音が発生する。このビビリ音を防止するためには、図２（ｂ）に示すように、化粧カバー２０の係止爪部２８ａ側の裏面とカバー受部材２１の上部傾斜片２４の先端部上面との間に隙間ｓを設け、この隙間ｓに吸音用のパッキン部材Ｐを介在させるように構成する方がよい。
【００３７】
なお、庫体１の開口枠２ａの適宜位置とパッキング受座２ｂの適宜位置には解凍及び結露水防止用のヒータ（図示せず）が埋設されている。
【００３８】
上記側部パッキン７０Ｂは、図６ないし図８に示すように、筒状本体７１と、この筒状本体７１の一側に突出する断面Ｌ字状の係止片７２と、筒状本体７１の接線方向に延在する直状の気密補助片７３とからなる可撓性を有する合成ゴム製部材にて形成されている。
【００３９】
このように形成される側部パッキン７０Ｂは、断面Ｌ字状の係止片７２が、扉体５の辺部を構成する枠材５ｂの庫体側片５ｅに設けられた嵌合溝５ｄ内に嵌合された状態で、扉体５に取り付けられる。なお、枠材５ｂは、図８ないし図１０に示すように、開閉側端部片５ｆの幅方向の端部に、一方の表面板５ａの折曲片５ｇが嵌合する第１の嵌挿溝５ｈを有し、庫体側片５ｅの端部に庫体側に向かって起立片５ｉを有し、この起立片５ｉに他方の表面板５ａの折曲片５ｇが嵌合する第２の嵌挿溝５ｊを有している。
【００４０】
また、補助パッキン７０Ｃは、側部パッキン７０Ｂと同様の合成ゴム製部材にて形成されると共に、側部パッキン７０Ｂと同様に、側部パッキン７０Ｂの筒状本体７１と同形状の筒状本体７１と、この筒状本体７１の一側に突出する断面Ｌ字状の係止片７２と、筒状本体７１の接線方向に延在する直状の気密補助片７３とを有する他に、筒状本体７１から気密補助片７３の延在方向と直交する接線方向に延在する取付片７４を有している。
【００４１】
このように形成される補助パッキン７０Ｃは、断面Ｌ字状の係止片７２が、扉体５の辺部を構成する枠材５ｂの庫体側片５ｅに設けられた嵌合溝５ｄ内に嵌合された状態で、側部パッキン７０Ｂの下端に連なって扉体５に取り付けられる。また、取付片７４は、枠材５ｂの起立片５ｉに沿ってクランク状に屈曲してずれパッキン９の長手方向の端部表面に重合され、後述するように、ずれパッキンの表面に被装されて固定部材である固定ねじ１０４によって扉体５に固定されるずれパッキン９の押え部材であるキャップ部材１００によってずれパッキン９と共に固定されている。
【００４２】
上記のように扉体５の枠材５ｂに取り付けられた補助パッキン７０Ｃは、気密補助片７３が扉体５の開閉端側に位置しており、枠材５ｂの開閉側端部片５ｆに固定ねじ７５によって固定されるクランク状のサイドパッキン７０Ｄに設けられ気密保護片７７の内方側に接触されている。
【００４３】
この場合、サイドパッキン７０Ｄは、枠材５ｂの開閉側端部片５ｆの表面に配置される矩形状の平坦取付部７６と、この平坦取付部７６の長手方向の一側辺からクランク状に折曲され、先端部が庫体１の側面に接触可能な気密保護片７７とからなり、下端が床面Ｆに接触した状態で少なくとも気密保護片７７が補助パッキン７０Ｃの気密補助片７３に接触するようになっている。
【００４４】
サイドパッキン７０Ｄは、平坦取付部７６の表面に配置されるサイドパッキン押え板７８に設けられた２個の取付孔７８ａを貫通する固定ねじ７５を扉体５の枠材５ｂに螺合することで、扉体５の開閉側端部に固定される。
【００４５】
また、扉体５の庫体側と半体の表面側の下部角部には、扉体５を保護するためのＬ字状のガード部材７９が装着されている。この場合、ガード部材７９の直交する両片７９ａ，７９ｂにそれぞれ固定ねじ７９ｃが貫通されて扉体５に固定されている。なお、ガード部材７９の扉体開閉側端部に位置する片７９ａによってサイドパッキン７０Ｄの平坦取付部７６が固定されている。このガード部材７９の扉体開閉側端部に位置する片７９ａは、サイドパッキン押え板７８の一側の対向する上下部に突設された一対の係止爪７８ｂ間に位置している（図９参照）。このように、サイドパッキン押え板７８の一側の対向する上下部に一対の係止爪７８ｂを設けることにより、ガード部材７９とサイドパッキン押え板７８の取付位置の位置決めを行うことができると共に、サイドパッキン押え板７８の取付の間違えを防止することができる。この場合、図１０に示すように、２個の固定ねじ７５の取付孔７８ａを係止爪７８ｂ間の中心を通る線上に設けることにより、サイドパッキン押え板７８を一度取り外しても全く同じ位置に取付可能である。
【００４６】
一方、上記ずれパッキン９は、扉体５の庫体１側の下端部に垂下状に装着されており、このずれパッキン９の下端は床面Ｆに接触されている（図１，図２，図４，図５参照）。このずれパッキン９は、可撓性を有する合成ゴム部材によって帯板状に形成されており、図２，図４，図５に示すように、上記扉体５の下端面に固着されるパッキン受部材８０と、扉体５の下端部表面に固着されるパッキン押え部材９０及びパッキン押え部材９０の端部に被着されるキャップ部材１００とによって挟持固定されている。この際、ずれパッキン９の長手方向の端部表面には、上記補助パッキン７０Ｃの取付片７４が重合された状態で、パッキン受部材８０とキャップ部材１００とによって挟持固定される。
【００４７】
上記パッキン受部材８０は、扉体の下端面に第１の固定ねじ８１によって固定される水平固定片８２と、扉体５の庫体側面に添設される上部垂直片８３及びこの上部垂直片８３の下端に垂下する下部垂直片８４を有するアルミニウム製押出形材にて形成されている。なお、冷蔵雇用扉の場合は、パッキン受部材８０は合成樹脂製部材にて形成されている。この場合、水平固定片８２の先端部の下面には下方に向かって狭隘開口状に開口する２個の嵌合凹溝８５，８６が並設されており、両嵌合凹溝８５，８６内にそれぞれ断面略Ｔ字状のＴ形パッキン９ａ，９ｂが垂下状に装着されている。なお、先端側の嵌合凹溝８５の先端側開口縁には、保護片８７が垂下されており、この保護片８７によってＴ形パッキン９ａの上部側表面が保護されるようになっている。また、水平固定片８２における嵌合凹溝８６に隣接する部位には、互いに平行な一対の係止壁８８ａを有する係止溝８８が設けられており、この係止溝８８内に嵌挿されるアルミニウム製押出形材製のヒーター線格納部材８９を第１の固定ねじ８１をもって水平固定片８２及び扉体５の下部側の枠材５ｂにねじ結合することで、パッキン受部材８０と共にヒーター線格納部材８９が扉体５の下端部に固定される。なお、パッキン受部材８０における上部垂直片８３の裏面側には、スポンジ製塞ぎ材２００を収容する凹所８３ａが形成されている。
【００４８】
また、パッキン押え部材９０はアルミニウム製の押出形材にて形成されている。このパッキン押え部材９０は、中央部に上記ずれパッキン９の表面に当接すると共に、固定部材である第２の固定ねじ９１が貫通する平坦固定片９２と、この平坦固定片９２に対して第２の固定ねじ９１の頭部９１ａの高さより高く隆起する隆起部９４を有すると共に、先端に向かって下り傾斜面を有する上下対称の一対の押え翼片９３とを有し、かつ、押え翼片９３の先端部が上記パッキン受部材８０の下部垂直片８４の下端部との間でずれパッキン９を挟持し得るように形成されている。なお、第２の固定ねじ９１は、パッキン押え部材９０，パッキン受部材８０の上部垂直片８３及びスポンジ製塞ぎ材２００を貫通して扉体５に螺合される。また、図４及び図６に示すように、パッキン押え部材９０の両押え翼片９３の裏面には、それぞれ先端がずれパッキン９に当接する凹溝９５が長手通しに形成されている。
【００４９】
上記のように形成されるパッキン押え部材９０によれば、パッキン受部材８０の下部垂直片８４と協働してずれパッキン９を床面Ｆに近い位置で挟持して固定することができるので、ずれパッキン９を強固に固定することができ、扉体５の開閉に伴うずれパッキン９の変形や損傷を抑制することができる。また、パッキン押え部材９０の隆起部９４によって固定ねじ９１の頭部９１ａが外部に突出するのを防止することができ、かつ、パッキン押え部材９０の上下部の一対の押え翼片９３を先端に向かって下り傾斜面とすることで、外部の物との干渉をスムーズに行うことができる。また、パッキン押え部材９０の一対の押え翼片９３を上下対称の形状に形成することにより、扉体５にずれパッキン９を固定する時にパッキン押え部材９０を上下間違って取り付ける心配がないので、ずれパッキン９の取付作業を容易にすることができる。
【００５０】
また、パッキン押え部材９０の長手方向端部には、パッキン押え部材９０と同様にずれパッキン９を固定する合成樹脂製のキャップ部材１００が被着されている。この場合、図７に示すように、キャップ部材１００には、上記パッキン押え部材９０の凹溝９５内に嵌合する嵌合脚片１０１が設けられると共に、扉体５に当接可能な平坦固定片１０５の上下及び一端側にパッキン押え部材９０の隆起部９４の最隆起面９４ａと同一面の隆起面１０２が形成され、かつ、キャップ部材１００の上下部及び先端部を先端に向かって下り傾斜状の傾斜面１０３が形成されている。なお、キャップ部材１００は、平坦固定片１０５に設けられた取付孔１０６を貫通する固定ねじ１０４によって扉体５に固定されている。このようにキャップ部材１００を固定ねじ１０４によって固定することによって、ずれパッキン９の長手方向端部と補助パッキン７０Ｃの取付片７４を重合させた状態でパッキン受部材８０とキャップ部材１００との間に挟持固定する。この場合、固定ねじ１０４の頭部１０４ａは隆起面１０２より低い位置にあり、頭部１０４ａは外部に突出することがない。
【００５１】
上記のように、パッキン押え部材９０の凹溝９５内にキャップ部材１００の嵌合脚片１０１を嵌合してパッキン押え部材９０にキャップ部材１００を装着することにより、パッキン押え部材９０の両端部に、キャップ部材１００を容易に取り付けることができると共に、パッキン押え部材９０の両端部の切断角度誤差をキャップ部材１００によって隠すことができる。また、キャップ部材１００は、上下部及び先端部を先端に向かって下り傾斜状に形成されているので、外部の物との干渉を抑制することができる。
【００５２】
また、パッキン押え部材９０をアルミニウム製押出形材にて形成し、キャップ部材１００を合成樹脂製材料にて形成することにより、長尺状のパッキン押え部材９０の凹溝９５の寸法精度の向上が図れ、パッキン押え部材９０とキャップ部材１００との接合を容易かつ確実にすることができる。
【００５３】
なお、上記実施形態では、この発明に係るスライド扉装置をプレハブ式の冷凍庫に適用した場合について説明したが、プレハブ式の冷凍庫以外の例えばプレハブ式の冷蔵庫、クリーンルームあるいは保管庫や一般の建物にも同様に適用できる。
【００５４】
例えば、この発明に係るスライド扉装置を冷蔵庫に適用する場合は、冷凍庫用の扉体５に比べて厚みの薄い扉体５Ａを用いる点と、サイドパッキン押え板７８を用いない点以外は、第１実施形態のスライド扉装置と同様の構造である。すなわち、第２実施形態においては、図１１及び図１２に示すように、扉体５Ａは、枠材５Ｂの庫体側片５ｆの先端部に、上記嵌合溝５ｄと直交状に開口する第２の嵌挿溝５ｋを設け、この第２の嵌挿溝５ｋ内に表面板５ａの折曲片５ｇを嵌合してなる。このように形成される冷蔵庫用の扉体５Ａは、冷凍庫用の扉体５に比べて冷凍庫用の扉体５の枠材５ｂの起立片５ｉの突出寸法分が薄い以外は冷凍庫用の扉体５と同じである。
【００５５】
また、第２実施形態におけるサイドパッキン７０Ｄは、ガード部材７９の一方の片７９ａを貫通して枠材５Ａに螺合される固定ねじ７９ｃによって固定されている。すなわち、サイドパッキン７０Ｄの平坦取付部７６の表面にガード部材７９の一方の片７９ａを配置した状態で、片７９ａに設けられた取付孔７９ｄを貫通する固定ねじ７９ｃを枠材５Ａに螺合することによってサイドパッキン７０Ｄを固定する。この状態で、サイドパッキン７０Ｄの気密保護片７７は補助パッキン７０Ｃの筒状本体７１及び気密補助片７３に接触しているので、補助パッキン７０Ｃの筒状本体７１の気密補助片７３とサイドパッキン７０Ｄの気密保護片７７とで扉体５Ａの下部の気密性の向上が図れる。また、扉体５Ａの開閉時における補助パッキン７０Ｃの筒状本体７１の変形をサイドパッキン７０Ｄによって抑制することができる。
【００５６】
また、第２実施形態においては、補助パッキン７０Ｃの筒状本体７１の取付片７４は枠材５Ａの庫体側片５ｅの平坦面に沿ってずれパッキン９の長手方向の端部表面に重合され、押え部材であるキャップ部材１００を貫通する固定ねじ１０４を扉体５Ａの枠材５Ｂに螺合することによって、ずれパッキン９と共にパッキン受部材８０とキャップ部材１００との間に挟持固定されている。
【００５７】
なお、第２実施形態において、その他の部分は同じであるので、同一部分には同一符号を付して、説明は省略する。
【００５８】
なお、上記実施形態では、サイドパッキン７０Ｄの気密保護片７７が補助パッキン７０Ｃの筒状本体７１及び気密補助片７３にのみ接触する場合について説明したが、サイドパッキン７０Ｄの気密保護片７７は少なくとも補助パッキン７０Ｃの筒状本体７１の筒状本体７１及び気密補助片７３に接触すればよい。例えば、補助パッキン７０Ｃの筒状本体７１に連接する側部パッキン７０Ｂの筒状本体７１及び気密補助片７３にサイドパッキン７０Ｄの気密保護片７７を接触させるようにしてもよい。
【符号の説明】
【００５９】
１  庫体
２  出入口用開口部
３  案内レール
５，５Ａ  扉体
５ｂ，５Ｂ  枠材
５ｄ  嵌合溝
５ｅ  庫体側片
７  吊り車輪
９  ずれパッキン
７０Ｂ  側部パッキン
７０Ｃ  補助パッキン
７０Ｄ  サイドパッキン
７１  筒状本体
７２  係止片
７３  気密補助片
７４  取付片
７５  固定ねじ
７６  平坦取付部
７７  気密保護片
７８  サイドパッキン押え板
７８ａ  取付孔
７８ｂ  係止爪
８０  パッキン受部材
９０  パッキン押え部材
１００  キャップ部材（押え部材）
１０４  固定ねじ（固定部材）
【図１】
0005393306.tif 000002
【図２】
0005393306.tif 000003
【図３】
0005393306.tif 000004
【図４】
0005393306.tif 000005
【図５】
0005393306.tif 000006
【図６】
0005393306.tif 000007
【図７】
0005393306.tif 000008
【図８】
0005393306.tif 000009
【図９】
0005393306.tif 000010
【図１０】
0005393306.tif 000011
【図１１】
0005393306.tif 000012
【図１２】
0005393306.tif 000013